(57)【要約】【課題】エレベーターのかご内照明の寿命を維持しつつ、省エネルギーを図るべく、エレベーター休止の一定時間経過後に照明灯を消灯する場合と比べて、照明灯の寿命（点灯消灯回数）は同程度を維持しつつ、消費電力はさらに削減することができるエレベーターのかご内照明装置を提供する。【解決手段】エレベーターのかご内照明装置において、エレベーターの乗りかご内に設けられ、第１の照明１ａと、点灯消灯回数が寿命に与える影響の少ない照明器具からなる第２の照明１ｂと、を有するかご内照明１と、当該エレベーターが休止状態となった直後に前記第２の照明１ｂを消灯し、当該エレベーターが休止状態となった後、所定の一定時間の経過後に前記第１の照明１ａを消灯する照明制御手段と、を備えた構成とする。【選択図】図１
2011020795.tif 000002
【特許請求の範囲】
【請求項１】
エレベーターの乗りかご内に設けられ、第１の照明と、点灯消灯回数が寿命に与える影響の少ない照明器具からなる第２の照明と、を有するかご内照明と、
当該エレベーターが休止状態となった直後に前記第２の照明を消灯し、当該エレベーターが休止状態となった後、所定の一定時間の経過後に前記第１の照明を消灯する照明制御手段と、を備えたことを特徴とするエレベーターのかご内照明装置。
【請求項２】
前記第２の照明は、発光ダイオードを用いたＬＥＤ照明からなることを特徴とする請求項１に記載のエレベーターのかご内照明装置。
【請求項３】
前記第１の照明は、蛍光灯を用いたものであることを特徴とする請求項１又は請求項２のいずれかに記載のエレベーターのかご内照明装置。
【発明の詳細な説明】
【技術分野】
【０００１】
この発明は、エレベーターのかご内照明装置に関するものである。
【背景技術】
【０００２】
従来におけるエレベーターのかご内照明装置においては、消費電力が低い等の理由により蛍光灯が使用されている。そして、なるべく消費電力を少なくするため、エレベーターに対する呼び登録がなくなり当該エレベーターが休止状態に入ると自動的に照明を消灯し、その後新たに発生した呼びに応答した際に照明を自動的に点灯するようにしているものがある。この際、エレベーター休止直後に照明を消灯すると蛍光灯の点灯消灯回数が増加し、蛍光灯の寿命が短くなってしまうため、エレベーターの休止後直ぐには消灯せずに、一定時間経過後に消灯するものがある。
【０００３】
そして、さらに蛍光灯の点灯消灯回数を抑制することにより、かご内照明灯の寿命を延ばしながら省エネルギーを図ることを目的とするものとして、蛍光灯からなるエレベーターかご内照明灯と、エレベーターの休止状態を検出し、輝度抑制指令を出力する休止検出手段と、前記照明灯を全輝度点灯させ、前記休止検出手段からの前記輝度抑制指令を受けて一定度合いだけ輝度抑制を行う輝度調整を、電流を制御することにより行うインバータ回路からなる輝度調整手段と、を備えることで、エレベーター休止後に点灯輝度を暗くした状態で照明灯を点灯させ続けることにより点灯消灯回数を抑制するものが知られている（例えば、特許文献１参照）。
【先行技術文献】
【特許文献】
【０００４】
【特許文献１】特許第３３４４８６５号公報
【発明の概要】
【発明が解決しようとする課題】
【０００５】
しかしながら、特許文献１に示された従来におけるエレベーターのかご内照明装置においては、インバータにより電流を減少させ点灯輝度を暗くした状態とはいえ、エレベーター休止後も照明灯を点灯させ続け休止中も電力を消費するため、休止の一定時間経過後に消灯する場合と比べて消費電力が多くなってしまうという課題があった。
【０００６】
また、最近になってＬＥＤ（Ｌｉｇｈｔ  Ｅｍｉｔｔｉｎｇ  Ｄｉｏｄｅ：発光ダイオード）照明が普及し、消費電力も蛍光灯と同等以上になってきており、蛍光灯に替えてＬＥＤ照明をかご内照明に用いることが考えられる。あるいは、意匠性等を考慮して、かご内のダウンライト等の一部にＬＥＤ照明を使用することも考えられる。
ＬＥＤ照明は点灯消灯回数が寿命に与える影響（劣化）が少ない照明器具であるため、エレベーターが休止した直後に消灯することにより、諸費電力を抑えつつ照明の寿命を維持することが可能である。
【０００７】
しかし、エレベーターの休止直後にかご内照明を消灯してしまうと、かご内に乗り込んだ乗客が行先階ボタンを操作して呼び登録をしたつもりが実際には登録されていなかったり、行先階ボタン操作を忘れてしまったりしていた場合には、エレベーターは休止状態となってかご内照明が消灯してしまう。この際、乗客は不安感に苛まれてしまうという課題や、暗闇の中でボタン操作を行わなければならず利便性が著しく低下してしまうという課題がある。
【０００８】
この発明は、このような課題を解決するためになされたもので、第１の目的は、エレベーターのかご内照明の寿命を維持しつつ、省エネルギーを図るべく、エレベーター休止の一定時間経過後に照明灯を消灯する場合と比べて、照明灯（蛍光灯）の寿命（点灯消灯回数）は同程度を維持しつつ、消費電力はさらに削減することができるエレベーターのかご内照明装置を得るものである。
【０００９】
そして、第２の目的は、かご内に乗り込んだ乗客が行先階ボタンを操作して呼び登録をしたつもりが実際には登録されていなかったり、行先階ボタン操作を忘れてしまったり等してエレベーターが休止状態になった場合においても、乗客に不安感を与えることなく、また、ボタン操作の利便性を確保することができるエレベーターのかご内照明装置を得るものである。
【課題を解決するための手段】
【００１０】
この発明に係るエレベーターのかご内照明装置においては、エレベーターの乗りかご内に設けられ、第１の照明と、点灯消灯回数が寿命に与える影響の少ない照明器具からなる第２の照明と、を有するかご内照明と、当該エレベーターが休止状態となった直後に前記第２の照明を消灯し、当該エレベーターが休止状態となった後、所定の一定時間の経過後に前記第１の照明を消灯する照明制御手段と、を備えた構成とする。
【発明の効果】
【００１１】
この発明はエレベーターのかご内照明装置において、エレベーターの乗りかご内に設けられ、第１の照明と、点灯消灯回数が寿命に与える影響の少ない照明器具からなる第２の照明と、を有するかご内照明と、当該エレベーターが休止状態となった直後に前記第２の照明を消灯し、当該エレベーターが休止状態となった後、所定の一定時間の経過後に前記第１の照明を消灯する照明制御手段と、を備えた構成としたことで、エレベーターのかご内照明の寿命を維持しつつ、消費電力を削減し省エネルギーを図ることができるという効果を奏する。
【００１２】
また、かご内に乗り込んだ乗客が行先階ボタンを操作して呼び登録をしたつもりが実際には登録されていなかったり、行先階ボタン操作を忘れてしまったり等してエレベーターが休止状態になった場合においても、乗客に不安感を与えることなく、また、ボタン操作の利便性を確保することが可能であるという効果も併せ奏する。
【図面の簡単な説明】
【００１３】
【図１】この発明の実施の形態１に係るエレベーターのかご内照明装置の回路構成を示す図である。
【発明を実施するための形態】
【００１４】
実施の形態１．
図１は、この発明の実施の形態１に係るもので、エレベーターのかご内照明装置の回路構成を示す図である。
図において１はエレベーターの図示しない乗りかご内に設けられ、この乗りかご内を明るく照らすかご内照明である。
【００１５】
このかご内照明１は、例えば蛍光灯を用いた通常の照明である第１の照明１ａと、点灯消灯回数が寿命に与える影響（劣化）が少ない照明器具、例えば発光ダイオード（ＬＥＤ）、を用いた第２の照明１ｂと、からなっており、これら第１の照明１ａ及び第２の照明１ｂの二系統の照明が発する光により、乗りかご内に必要な照度を確保している。これらの第１の照明１ａと第２の照明１ｂは電気的に並列に接続されており、これらの第１の照明１ａ及び第２の照明１ｂへの電力は、交流電源２により供給されている。
【００１６】
第２の照明１ｂに対しては、タイマーリレー３のタイマーリレーコイル３ａが並列に接続されており、このタイマーリレー３のタイマーリレー接点３ｂは、第１の照明１ａに対して直列に接続されている。
このタイマーリレー３は、タイマーリレーコイル３ａが通電されると励磁状態となり、タイマーリレー接点３ｂが閉じて通電する。そして、タイマーリレーコイル３ａの通電が遮断されると、この遮断から所定の一定時間の間だけタイマーリレー接点３ｂが閉じた状態が維持された後タイマーリレー接点３ｂが開き、すなわち所定の一定時間だけ遅延してタイマーリレー接点３ｂが開き、通電が遮断される。
【００１７】
第２の照明１ｂ及びタイマーリレーコイル３ａに対しては、運転状態検出リレー４及びドア状態検出リレー５が直列に接続されている。
運転状態検出リレー４は当該エレベーターが運転中であるときに接点が閉じて通電し、そうでないときに接点が開き通電が遮断されるリレーである。また、ドア状態検出リレー５は当該エレベーター（乗りかご）の出入口のドアが開いているときに接点が閉じて通電し、そうでないときに接点が開き通電が遮断されるリレーである。なお、運転状態検出リレー４とドア状態検出リレー５との関係は並列となるように接続されている。
【００１８】
ここで、タイマーリレー３、運転状態検出リレー４及びドア状態検出リレー５は、かご内照明１すなわち第１の照明１ａ及び第２の照明１ｂの点灯消灯動作を制御する照明制御手段を構成している。
【００１９】
このような回路構成においては、当該エレベーターの運転中は運転状態検出リレー４の接点が閉じて通電し、従って交流電源２、運転状態検出リレー４、第２の照明１ｂと辿る閉回路が成立し、第２の照明１ｂが点灯する。また、第２の照明１ｂとタイマーリレーコイル３ａとは並列に接続されていることから、交流電源２、運転状態検出リレー４、タイマーリレーコイル３ａと辿る閉回路も成立し、タイマーリレーコイル３ａが励磁される。そして、タイマーリレーコイル３ａが励磁されるとタイマーリレー接点３ｂが閉じて通電するため、交流電源２、タイマーリレー接点３ｂ、かご内照明１と辿る閉回路が成立して、第１の照明１ａが点灯する。
従って、当該エレベーターの運転中においては、第１の照明１ａ及び第２の照明１ｂの双方が点灯する。
【００２０】
また、当該エレベーターのドアが開いているときも、同様であって、すなわち、ドア状態検出リレー５の接点が閉じて通電し、従って交流電源２、ドア状態検出リレー５、第２の照明１ｂと辿る閉回路が成立し、第２の照明１ｂが点灯する。また、交流電源２、ドア状態検出リレー５、タイマーリレーコイル３ａと辿る閉回路も成立し、タイマーリレーコイル３ａが励磁される。そして、タイマーリレーコイル３ａが励磁されるとタイマーリレー接点３ｂが閉じて通電するため、交流電源２、タイマーリレー接点３ｂ、かご内照明１と辿る閉回路が成立して、第１の照明１ａが点灯する。
従って、当該エレベーターのドア戸開中においても、第１の照明１ａ及び第２の照明１ｂの双方が点灯する。
【００２１】
運転状態検出リレー４とドア状態検出リレー５とは並列に接続されていることから、当該エレベーターが運転中であるか、当該エレベーターのドアが戸開中であるか、の少なくともいずれか一方の状態となっているときに、第１の照明１ａ及び第２の照明１ｂの双方が点灯する。
そして、応答すべき呼び登録がなくなり、当該エレベーターが休止しドアが閉まる（当該エレベーターが運転中でなくなり、かつ、ドアが開いた状態でなくなる）と、運転状態検出リレー４及びドア状態検出リレー５双方の接点が開いて通電が遮断される。従って、第２の照明１ｂへの電力供給が遮断され第２の照明１ｂは即時消灯する。
【００２２】
また、同時に第２の照明１ｂと並列に接続されているタイマーリレーコイル３ａへの通電も遮断されるが、前述のごとくタイマーリレー接点３ｂはタイマーリレーコイル３ａへの通電遮断後、前記一定時間は閉じた状態が維持される。従って、第２の照明１ｂが消灯しタイマーリレーコイル３ａへの通電が遮断された時点では、第１の照明１ａは点灯を続ける。そして、タイマーリレー３の作用により前記一定時間の経過後にタイマーリレー接点３ｂが開いて、第１の照明１ａへの電力供給が遮断され第１の照明１ａが消灯する。
すなわち、当該エレベーターが休止状態となりドアが閉まると、まず、即時に第２の照明１ｂが消灯し、次いで、前記一定時間の経過後に第１の照明１ａが消灯する。
【００２３】
そして、新たに呼び登録がなされる等して、当該エレベーターが運転を開始する、又は、当該エレベーターのドアが開くと、運転状態検出リレー４又はドア状態検出リレー５の接点が閉じて第２の照明１ｂ及びタイマーリレーコイル３ａに通電され、次いでタイマーリレー接点３ｂが閉じて第１の照明１ａに通電されて、第１の照明１ａ及び第２の照明１ｂが点灯する。
【００２４】
なお、第２の照明１ｂとしては普及状況や消費電力等を考慮するとＬＥＤが好適であるが、点灯消灯回数が寿命に与える影響の少ない照明、例えば白熱電球等を用いてもよい。
また、第１の照明１ａについては、輝度、効率や費用等を考慮して好適である蛍光灯を用いた場合について説明したが、意匠性等を考慮して、この第１の照明１ａにＬＥＤや白熱電球等を用いることも可能である。
【００２５】
さらにまた、ここでは、照明制御手段として、タイマーリレー３、運転状態検出リレー４及びドア状態検出リレー５の有接点リレーを用いることを想定しているが、マイコン（マイクロコンピュータ）と無接点リレー、例えば、フォトＭＯＳリレーやソリッドステートリレー（ＳＳＲ：Ｓｏｌｉｄ  Ｓｔａｔｅ  Ｒｅｌａｙ）等、を組合わせて用いることにより、ソフトウェア的に前述の照明制御手段の動作を実現するようにしてもよい。
【００２６】
以上のように構成されたエレベーターのかご内照明装置においては、エレベーターの乗りかご内に設けられ、第１の照明（蛍光灯照明）と点灯消灯回数が寿命に与える影響の少ない照明器具からなる第２の照明（ＬＥＤ照明）とを有するかご内照明と、当該エレベーターが休止状態となった直後に第２の照明を消灯し、当該エレベーターが休止状態となった後、所定の一定時間の経過後に第１の照明を消灯する照明制御手段（タイマーリレー他）と、を備えたことで、エレベーターのかご内照明の寿命を維持しつつ、消費電力を削減し省エネルギーを図ることが可能である。
【００２７】
また、エレベーターが休止状態となった直後には第２の照明のみが消灯し、第１の照明はその後も一定時間点灯し続けるため、かご内に乗り込んだ乗客が行先階ボタンを操作して呼び登録をしたつもりが実際には登録されていなかったり、行先階ボタン操作を忘れてしまったり等してエレベーターが休止状態になった場合においても、乗客に不安感を与えることなく、また、ボタン操作の利便性を確保することができる。
【符号の説明】
【００２８】
１    かご内照明
１ａ  第１の照明
１ｂ  第２の照明
２    交流電源
３    タイマーリレー
３ａ  タイマーリレーコイル
３ｂ  タイマーリレー接点
４    運転状態検出リレー
５    ドア状態検出リレー
【図１】
2011020795.tif 000003